(57)【要約】【課題】  従来、複数の撮影モードを備えたデジタルカメラにおいて、通常の撮影モードとは別に、初心者向けに簡単に撮影できる撮影モードが用意されている。ところがこうした従来のカメラでは、撮影については簡単で安心のモードを提供しているのに対し、撮影画像を表示する再生モードについては初心者向けの配慮がなされていない。【解決手段】  上記の問題を解決するため、撮影手段の複数の撮影モードからいずれかを選択する撮影モード選択手段と、記録媒体に記録されている画像データを読み出して表示装置に表示させる再生モードと、撮影モード選択手段で選択された撮影モードにて撮影処理を行う撮影処理モードとを切り替える切り替え手段とを有し、切り替え手段で再生モードに切り替えられたときの、撮影モード選択手段で選択されている撮影モードに応じて、再生モードで指示可能な操作を異ならせる再生制御手段とを有するカメラを提供する。【選択図】  図３
2010050821.tif 000002
【特許請求の範囲】
【請求項１】
被写体を撮影する撮影手段と、
前記撮影手段の複数の撮影モードからいずれかを選択する撮影モード選択手段と、
前記撮影手段による撮影で得られた画像を記録媒体に記録する記録手段と、
前記記録媒体に記録されている画像データを読み出して表示装置に表示させる再生モードと、前記撮影モード選択手段で選択された撮影モードにて撮影処理を行う撮影処理モードをと切り替える切り替え手段とを有し、
前記記録媒体から読み出した画像データを表示装置に表示させる再生制御手段であって、前記切り替え手段で再生モードに切り替えられたときの、前記撮影モード選択手段で選択されている撮影モードに応じて、再生モードで指示可能な操作を異ならせる再生制御手段とを有することを特徴とするカメラ。
【請求項２】
前記撮影モード選択手段で選択されている撮影モードに応じて異なる、再生モードで指示可能な操作とは、画像の消去の可否、又は画像の拡大表示の可否、又は画像のマルチ表示の可否、又は画像編集の可否、又は画像に関する属性情報表示の可否、又はメニュー表示の可否の少なくともいずれかに関するものであることを特徴とする請求項１に記載のカメラ。
【請求項３】
前記再生モードとして、前記撮影モード選択手段で選択された撮影モードに応じて予め決められている複数種類の再生モードが用意されており、当該再生モードに応じて動作可能な処理が異なることを特徴とする請求項１または２に記載のカメラ。
【請求項４】
前記再生モードとして、少なくとも、動作可能な処理の数の少ない特殊再生モードと、前記特殊再生モードよりも動作可能な処理の数が多い通常再生モードとを有していることを特徴とする請求項１ないし３のいずれか１項に記載のカメラ。
【請求項５】
前記通常再生モードは、前記特殊再生モードにおける動作可能な処理を設定可能であることを特徴とする請求項４に記載のカメラ。
【請求項６】
被写体を撮影する撮影手段と、
前記撮影手段の複数の撮影モードからいずれかを選択する撮影モード選択手段と、
前記撮影手段による撮影で得られた画像を記録媒体に記録する記録手段とを有するカメラの制御方法であって、
前記記録媒体に記録されている画像データを読み出して表示装置に表示させる再生モードと、前記撮影モード選択手段で選択された撮影モードにて撮影処理を行う撮影処理モードとを切り替える切り替え工程と、
前記記録媒体から読み出した画像データを表示装置に表示させる再生制御工程と、
前記切り替え工程で再生モードに切り替えられたときの、前記撮影モード選択手段で選択されている撮影モードに応じて、再生モードで指示可能な操作を異ならせる再生制御工程とを有することを特徴とするカメラの制御方法。
【請求項７】
前記撮影モード選択手段で選択されている撮影モードに応じて異なる、再生モードで指示可能な操作とは、画像の消去の可否、又は画像の拡大表示の可否、又は画像のマルチ表示の可否、又は画像編集の可否、又は画像に関する属性情報表示の可否、又はメニュー表示の可否の少なくともいずれかに関するものであることを特徴とする請求項６に記載のカメラの制御方法。
【請求項８】
前記再生モードとして、前記撮影モード選択手段で選択された撮影モードに応じて予め決められている複数種類の再生モードが用意されており、当該再生モードに応じて動作可能な処理が異なることを特徴とする請求項６または２に記載のカメラの制御方法。
【請求項９】
前記再生モードとして、少なくとも、動作可能な処理の数の少ない特殊再生モードと、前記特殊再生モードよりも動作可能な処理の数が多い通常再生モードとを有していることを特徴とする請求項６ないし８のいずれか１項に記載のカメラの制御方法。
【請求項１０】
前記通常再生モードは、前記特殊再生モードにおける動作可能な処理を設定可能であることを特徴とする請求項９に記載のカメラの制御方法。
【発明の詳細な説明】
【技術分野】
【０００１】
本発明は、被写体の撮影状況やユーザの指定に応じて撮影モードを選択可能なデジタルカメラに関し、特に、画像データの再生表示モードに関するものである。
【背景技術】
【０００２】
従来、複数の撮影モードを備えたデジタルカメラにおいて、通常の撮影モードとは別に、初心者向けに簡単に撮影できる簡単撮影モードが用意されている物が多い。この簡単撮影モードではユーザはシャッターボタンのみを押せば、その撮影シーンに応じて、カメラが適切と考える撮影条件を自動的に設定して撮影を行うことが出来る。この撮影モードでは、初心者にとって誤操作が少なく、比較的安心して簡単に撮影操作ができるような配慮がなされている。
【０００３】
一方一般的なデジタルカメラには、液晶ディスプレイなどの表示装置が備わっており、撮影された画像をその場で確認することが出来るようになっている。
【０００４】
特に、特許文献１には撮影モードを切り替えるための撮影モードダイヤルを備えたデジタルカメラにおける撮影画像を表示する再生モードにおいて、撮影モードダイヤルで選択中の撮影モードに対応した画像を表示することによって、表示したい画像のフィルタリング処理を行うことが出来ている。
【特許文献１】特開２００４−１２０２２５号公報
【発明の開示】
【発明が解決しようとする課題】
【０００５】
ところがこうした従来のカメラでは、撮影については簡単操作のモードを提供しているのに対し、撮影画像を表示する再生モードについては初心者向けの配慮がなされていないという問題があった。
【０００６】
特許文献１に記載された技術においても、撮影時に設定していた撮影モードを再生モードにおいても利用することで、撮影した画像を表示する際に簡単で明示的な分類方法を提供している。
【０００７】
しかしながら、再生モードにおいて初心者にとって分かりにくい操作や、画像消去や編集処理など、初心者にとって分かりにくい処理を誤って行ってしまうという事態を減らすような配慮が十分になされていなかった。つまり、再生モードにおいても初心者が安心して簡単に操作できるようには至っていないという問題があった。
【課題を解決するための手段】
【０００８】
本発明では上記課題を解決するため、被写体を撮影する撮影手段と、撮影手段の複数の撮影モードからいずれかを選択する撮影モード選択手段と、撮影手段による撮影で得られた画像を記録媒体に記録する記録手段と、記録媒体に記録されている画像データを読み出して表示装置に表示させる再生モードと撮影モード選択手段で選択された撮影モードにて撮影処理を行う撮影処理モードとを切り替える切り替え手段とを有し、記録媒体から読み出した画像データを表示装置に表示させる再生制御手段であって、切り替え手段で再生モードに切り替えられたときの、撮影モード選択手段で選択されている撮影モードに応じて、再生モードで指示可能な操作を異ならせる再生制御手段とを有することを特徴とする。
【発明の効果】
【０００９】
本発明によれば、撮影モード選択手段で選択されている撮影モードに応じて、再生モードで指示可能な操作を異ならせるので、例えば、カメラ操作の初心者と熟練者に対して別々の再生モードを提供することが可能である。つまり、撮影モードを初心者向けのモードに設定しておくことで、撮影モードと再生モードが連動して初心者向けの再生モードとすることが可能である。逆に、カメラ操作に手馴れているであろうユーザが選ぶ可能性の高い撮影モードを選択してある場合には、これと連動して再生モードで指示可能な操作も、熟練者向けのものとすることも可能となる。
【発明を実施するための最良の形態】
【００１０】
以下、添付の図面を参照して本発明の好適な実施形態について説明する。尚、以下に説明する実施形態では、簡単さ操作で撮影できる簡単撮影モードと、使用者により多くの撮影条件を設定できるマニュアル撮影モードとを有するデジタルカメラである撮像装置に適用した場合を例にして説明する。
【００１１】
（デジタルカメラの構成について）
図１は、被写体を撮影して画像データをえることが出来るデジタルカメラの外観図である。図１において、２８は表示部であり、画像や各種情報を表示する。７２は電源スイッチであり、電源オン、電源オフを切り替える。６１はシャッターボタンである。６０は撮影モード切替スイッチであり、デジタルカメラ１００における各種モードを切り替える。より具体的には、簡単撮影モード（フルオート撮影モード）と、使用者により多くの撮影条件を設定できるマニュアル撮影モード等の撮影モードの切り替えが可能である。これらの撮影モードは静止画記録のためのモードとして説明するが、これ以外にも、動画撮影モードや複数画像を合成して広画角の画像を得るためのパノラマ撮影モードなどを有していても良い。１１１は接続ケーブルであり、デジタルカメラ１００と外部機器を接続する。１１２はコネクタであり、接続ケーブル１１１とデジタルカメラ１００とを接続する。
【００１２】
７０は操作部であり、ユーザからの各種操作を受け付ける。操作部７０は図示の各種ボタンや、画像表示部２８の画面上に設けられたタッチパネル等の操作部材を有する。操作部７０の各種ボタンとは、具体的に例示すると、再生ボタン、消去ボタン、メニューボタン、ＳＥＴボタン、十字に配置された４方向ボタン（上ボタン、下ボタン、右ボタン、左ボタン）、ホイール７３等である。２００はメモリカードやハードディスク等の記録媒体である。２０１は記録媒体スロットであり、記録媒体２００を格納する。記録媒体スロット２０１に格納された記録媒体２００は、デジタルカメラ１００との通信が可能となる。２０２は記録媒体スロット２０１の蓋である。
【００１３】
図２は、本実施形態によるデジタルカメラ１００の構成例を示すブロック図である。図２において、１０３は撮影レンズ、１０１は絞り機能を備えるシャッター、２２は光学像を電気信号に変換するＣＣＤやＣＭＯＳ素子等で構成される撮像部である。２３はＡ／Ｄ変換器であり、アナログ信号をデジタル信号に変換する。Ａ／Ｄ変換器２３は、撮像部２２から出力されるアナログ信号をデジタル信号に変換する場合や、音声制御部１１から出力されるアナログ信号をデジタル信号に変換する場合に用いられる。１０２はバリアであり、デジタルカメラ１００の、レンズ１０３を含む撮像部を覆うことにより、撮影レンズ１０３、シャッター１０１、撮像部２２を含む撮像系の汚れや破損を防止する。
【００１４】
１２はタイミング発生部であり、撮像部２２、音声制御部１１、Ａ／Ｄ変換器２３、Ｄ／Ａ変換器１３にクロック信号や制御信号を供給する。タイミング発生部１２は、メモリ制御部１５及びシステム制御部５０により制御される。２４は画像処理部であり、Ａ／Ｄ変換器２３からのデータ、又は、メモリ制御部１５からのデータに対し所定の画素補間、縮小といったリサイズ処理や色変換処理を行う。また、画像処理部２４では、取り込まれている画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１５】
Ａ／Ｄ変換器２３からの出力データは、画像処理部２４及びメモリ制御部１５を介して、或いは、直接メモリ制御部１５を介して、メモリ３２に書き込まれる。これにより被写体を撮影して得られた画像データがメモリ３２に記録される。
【００１６】
メモリ３２は、撮像部２２によって得られＡ／Ｄ変換器２３によりデジタルデータに変換された画像データや、画像表示部２８に表示するための画像データを格納する。尚、メモリ３２は、マイク１０において録音された音声データ、静止画像、動画像および画像ファイルを構成する場合のファイルヘッダを格納するのにも用いられる。従って、メモリ３２は、所定枚数の静止画像や所定時間の動画像および音声を格納するのに十分な記憶容量を備えている。
【００１７】
圧縮／伸張部１６は、適応離散コサイン変換（ＡＤＣＴ）等により画像データを圧縮、伸張する。圧縮／伸張部１６は、シャッター１０１をトリガにしてメモリ３２に格納された撮影画像を読み込んで圧縮処理を行い、処理を終えたデータをメモリ３２に書き込む。また、記録媒体２００の記録部１９などからメモリ３２に読み込まれた圧縮画像に対して伸張処理を行い、処理を終えたデータをメモリ３２に書き込む。圧縮／伸張部１６によりメモリ３２に書き込まれた画像データは、システム制御部５０のファイル部においてファイル化され、インターフェース１８を介して記録媒体２００に記録される。また、メモリ３２は画像表示用のメモリ（ビデオメモリ）を兼ねている。１３はＤ／Ａ変換器であり、メモリ３２に格納されている画像表示用のデータをアナログ信号に変換して画像表示部２８に供給する。２８は画像表示部であり、ＬＣＤ等の表示器上に、Ａ／Ｄ変換器２３からのアナログ信号に応じた表示を行う。こうして、メモリ３２に書き込まれた表示用の画像データはＤ／Ａ変換器１３を介して画像表示部２８により表示される。
【００１８】
１０はマイクである。マイク１０から出力された音声信号は、アンプ等で構成される音声制御部１１を介してＡ／Ｄ変換器２３に供給され、Ａ／Ｄ変換器２３においてデジタル信号に変換された後、メモリ制御部１５によってメモリ３２に格納される。一方、記録媒体２００に記録されている音声データは、メモリ３２に読み込まれた後、Ｄ／Ａ変換器１３によりアナログ信号に変換される。音声制御部１１は、このアナログ信号によりスピーカ３９を駆動し、音声出力する。
【００１９】
不揮発性メモリ５６は電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００２０】
５０はシステム制御部であり、デジタルカメラ１００全体を制御する。システム制御部５０は、上述した不揮発性メモリ５６に記録されたプログラムを実行することで、後述する本実施形態の各処理を実現する。５２はシステムメモリであり、ＲＡＭが用いられる。システムメモリ５２には、システム制御部５０の動作用の定数、変数、不揮発性メモリ５６から読み出したプログラム等を展開する。
【００２１】
モード切替スイッチ６０、第１シャッタースイッチ６２、第２シャッタースイッチ６４、操作部７０はシステム制御部５０に各種の動作指示を入力するための操作手段である。
【００２２】
モード切替スイッチ６０は、システム制御部５０の動作モードを簡易撮影モードとそれ以外の撮影モード、例えばマニュアル撮影モードとに切り替えることができる。第１シャッタースイッチ６２は、デジタルカメラ１００に設けられたシャッターボタン６１の操作途中（半押し）でＯＮとなり第１シャッタースイッチ信号ＳＷ１を発生する。システム制御部５０は、第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２３】
第２シャッタースイッチ６４は、シャッターボタン６１の操作完了（全押し）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２４】
操作部７０の各操作部材は、画像表示部２８に表示される種々の機能アイコンを選択操作することなどにより、場面ごとに適宜機能が割り当てられ、各種機能ボタンとして作用する。機能ボタンとしては例えば終了ボタン、再生ボタン、戻るボタン、画像送りボタン、検索ボタン、絞り込みボタン、属性変更ボタン、印刷指定ボタン等がある。例えば、メニューボタンが押されると各種設定が可能なメニュー画面が画像表示部２８に表示される。利用者は、画像表示部２８に表示されたメニュー画面と、４方向ボタンやＳＥＴボタンとを用いて直感的に各種設定を行うことができる。また、撮影処理モードで撮影のための操作や撮影処理を行っている間にこの再生ボタンが押されると、メモリ内の画像を表示するための再生モードに移行することができる。
【００２５】
さらに再生モードにおいて再び再生ボタンを押すことで撮影処理モードに戻り、撮影操作を行うことが可能になる。電源スイッチ７２は、電源オン、電源オフを切り替える。
【００２６】
なお、電源スイッチ７２がオフの状態で、再生ボタンを押すことでも、前述の再生モードに移行することができる。
【００２７】
上記の再生ボタンは、デジタルカメラ本体に物理的に設置されるボタンで構成しても良い。この再生ボタンは、撮影処理モード又は電源オフ時に操作されることによって再生モードに切り替える切り替え手段として機能すればよい。
【００２８】
８０は電源制御部であり、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００２９】
３０は電源部であり、アルカリ電池やリチウム電池等の一次電池やＮｉＣｄ電池やＮｉＭＨ電池、Ｌｉ電池等の二次電池、ＡＣアダプター等からなる。３３及び３４はコネクタであり、電源部３０と電源制御部８０とを接続する。
【００３０】
４０はＲＴＣ（Ｒｅａｌ  Ｔｉｍｅ  Ｃｌｏｃｋ）であり、日付及び時刻を計時する。ＲＴＣ４０は、電源制御部８０とは別に内部に電源部を保持しており、電源部３０が落ちた状態であっても、計時状態を続ける。システム制御部５０は起動時にＲＴＣ４０より取得した日時を用いてシステムタイマを設定し、タイマ制御を実行する。
【００３１】
１８はメモリカードやハードディスク等の記録媒体２００とのインターフェースである。３５は該記録媒体２００とインターフェース１８との接続のためのコネクタである。９６は記録媒体着脱検知部であり、コネクタ３５に記録媒体２００が装着されているか否かを検知する。
【００３２】
２００はメモリカードやハードディスク等の記録媒体である。記録媒体２００は、半導体メモリや磁気ディスク等から構成される記録部１９、デジタルカメラ１００とのインターフェース３７、及び、記録媒体２００とデジタルカメラ１００とを接続するためのコネクタ３６を備えている。
【００３３】
通信部１１０は、ＲＳ２３２ＣやＵＳＢ、ＩＥＥＥ１３９４、Ｐ１２８４、ＳＣＳＩ、モデム、ＬＡＮ、無線通信、等の各種通信処理を行う。コネクタ（無線通信の場合はアンテナ）１１２は、通信部１１０を介してデジタルカメラ１００を他の機器と接続する。
【００３４】
（デジタルカメラの全体動作について）
図３は、本実施形態のデジタルカメラ１００の全体的な動作を説明するフローチャートである。なお、選択された撮影モードに応じて予め決められている複数種類の再生モードが用意されているものとする。
【００３５】
電源スイッチ７２が操作され電源がオンに切り替わると、ステップＳ３０１においてシステム制御部５０はフラグや制御変数などを初期化する。
【００３６】
次に、ステップＳ３０３、Ｓ３０５、Ｓ３０７において、システム制御部５０は、モード切替スイッチ６０と操作部７０によるモード設定位置を判断する。モード切替スイッチ６０が簡単撮影モードに設定されおり、且つ、操作部７０の再生モードボタンが押されていないならば処理はステップＳ３０３からＳ３０４へ進み、簡単撮影モードでの撮影処理を実行する。モード切替スイッチ６０が簡単撮影モード以外の撮影モードに設定されており、且つ、操作部７０の再生モードボタンが押されていないならば、処理はステップＳ３０３、Ｓ３０５を経てステップＳ３０６ヘ進み、設定されている撮影モードでの撮影処理を実行する。操作部７０により再生モードボタンが押された場合は、処理はステップＳ３０３、Ｓ３０５、Ｓ３０７を経てステップＳ３０８へ進む。ステップＳ３０８ではモード切替スイッチ６０の設定位置を参照し、特殊再生モードに移行するモードであるか判断する。ここでは、モード切替スイッチ６０が簡単撮影モードに設定されている場合には特殊再生モードへの移行と判断し、ステップＳ３１０に進み、特殊再生モード処理を実行する。モード切替スイッチ６０が簡単撮影モード以外の、例えばマニュアル撮影モードなどの場合にはステップＳ３０９に進み、通常再生モード処理を実行する。ステップＳ３０９及びＳ３１０の再生モード処理についての詳細は図４及び図７を用いて後述する。
【００３７】
なお、上記のその他のモードとしては、シャッタースピード優先撮影モードや、ユーザが自由に撮影条件を予め決めておけるユーザ撮影モードなどでもよい。
【００３８】
ステップＳ３０４、Ｓ３０６、Ｓ３０９、Ｓ３１０、Ｓ３１１のうちのモード切替スイッチ６０及び操作部７０よって設定されたモードに応じた処理を実行した後、処理はステップＳ３１２へ進む。ステップＳ３１２において、システム制御部５０は電源スイッチ７２の設定位置を判断する。電源スイッチ７２が電源オンに設定されていれば、ステップＳ３０３に処理を戻す。一方、電源スイッチ７２が電源オフに設定されていたならば、処理はステップＳ３１２からステップＳ３１３へ進み、制御部５０は終了処理を行う。終了処理には、例えば以下の処理が含まれる。すなわち、画像表示部２８の表示を終了状態に変更し、レンズバリア１０２を閉じて撮像部を保護し、フラグや制御変数などを含むパラメータや設定値、設定モードを不揮発メモリ５６に記録し、電源供給が不要な部分への電源を遮断する。ステップＳ３１３の終了処理が完了すると、本処理を終了し、電源ＯＦＦ状態へ移行する。
【００３９】
上記の特殊再生モードと通常再生モードとは、画像の消去の可否、又は画像の拡大表示の可否、又は画像のマルチ表示の可否、又は画像編集の可否、又は画像に関する属性情報表示の可否、又はメニュー表示の可否の少なくともいずれかに関して指示可能な内容が異なるものとしている。
【００４０】
例えば、画像の消去操作、拡大表示の操作、マルチ表示操作、色の変更や回転、リサイズなどの画像編集操作について、通常再生モードでは上記のいずれも実行可能であるが、特殊再生モードでは、この全て、又はいずれかの操作が出来ないようになっている。また、日付や撮影条件等の属性情報の表示指示操作、メニューの表示指示操作についても、通常再生モードでは上記のいずれも実行可能であるが、特殊再生モードでは、この全て、又はいずれかの操作が出来ないようになっている。
【００４１】
どの操作が出来てどの操作が出来ないかを、通常再生モードと特殊再生モードとで異ならせていれば本発明の範疇に含まれるが、各モードで動作可能な操作の種類の数に差を設けておくことで、初心者向けや熟練者向けの操作環境を提供することに有効である。特に熟練者向けと考える再生モードでは、初心者向けと考える再生モードで動作可能な操作の種類よりも多くするのが良い。本実施例においては、通常再生モードのほうが、特殊再生モードよりも動作可能な操作の種類を多くするのがよい。
【００４２】
（通常再生モード処理について（Ｓ３０９））
上述した全体動作フロー（図３）のステップＳ３０９の詳細を図４を用いて説明する。図４は、本実施形態のデジタルカメラ１００の通常再生モードでの再生制御の内容を説明するフローチャートである。
【００４３】
ステップＳ１５０１において、システム制御部５０は、記録媒体２００から最新画像情報を取得する。ステップＳ１５０２において、システム制御部５０は、ステップＳ１５０１における最新画像情報の取得が正しく行われたかどうかをチェックする。最新画像情報を取得できなかった場合、処理はステップＳ１５１０に進む。ステップＳ１５１０において、システム制御部５０は、画像無し時の入力待ち状態となる。このステップＳ１５１０の処理は図５のフローチャートにより後述する。尚、最新画像情報を取得できない場合とは、画像が一枚も無いような状態や、メディア不良によって画像情報が取得できなかったような状態などが考えられる。最新画像情報が取得できれば、少なくとも画像が１枚は存在すると判断され、処理はステップＳ１５０４へ進む。
【００４４】
ステップＳ１５０４において、システム制御部５０は、ステップＳ１５０１で取得した最新画像情報を元に記録媒体２００から最新画像データを読み込む。そしてステップＳ１５０５において、システム制御５０は、ファイル解析処理を行い、読み込んだ配信画像データにおける画像の撮影情報や属性情報などを取得する。ステップＳ１５０７において、システム制御部５０は、読み込んだ最新画像データを表示する。さらに、このとき、ステップＳ１５０５で取得された撮影情報や属性情報も表示する。また、ステップＳ１５０５のファイル解析結果に応じて、ファイルの一部が壊れているなど不正なデータということがわかればエラー表示も合わせて行われる。
【００４５】
ステップＳ１５０９において、システム制御部５０は、入力待ち状態に入る。この入力待ち状態における処理は図６のフローチャートにより後述する。
【００４６】
（再生モード処理における画像無し時の入力待ち処理（Ｓ１５１０））
図５は、再生モードにおける画像無し時入力待ち状態における処理を示すフローチャートである。
【００４７】
まず、ステップＳ１６０１において、システム制御部５０は、画像データが無いことをユーザに通知するべく、「画像がありません」というメッセージ表示を画像表示部２８において行う。次に、ステップＳ１６０２において、システム制御部５０は、操作入力を待つ。ここでいう操作入力とはユーザによるボタン、電池蓋に対する操作や、電源の低下を知らせるイベントなどが含まれる。何らかの入力があった場合、処理はステップＳ１６０３へ進み、システム制御部５０は、当該入力が終了ボタンだったかどうかチェックする。終了ボタンと判定された場合は、再生モード処理を終了し、図３のステップＳ３１２へ進む。一方、操作入力が終了ボタン以外だった場合は、ステップＳ１６０４へ進み、当該操作入力に対応する処理が行われる。例えば、画像データが無くてもメニューボタンの操作が入力された場合は、画像表示部２８にメニュー表示を行い、ユーザが設定変更などを行えるようにする。但しメニューボタンによる操作は図３のステップＳ３１０による特殊再生モード処理の場合には無効とし、ステップＳ３０９による通常再生モード処理の場合には有効とする。
【００４８】
（通常再生モード処理における再生入力待ち処理（Ｓ１５０９））
図６は、通常再生モード処理における入力待ち状態の処理を説明するフローチャートである。ステップＳ１７０１において、システム制御部５０は、ユーザによる操作入力があるかどうかをチェックする。ここでいう操作入力とはユーザによるボタン、電池蓋に対する操作や、電源の低下を知らせるイベントなどが含まれる。何も入力がなければ入力があるまで待つ。何らかの操作入力があった場合、処理はステップＳ１７０４へ進む。
【００４９】
次にステップＳ１７０４において、システム制御部５０は、当該操作入力が操作部７０に含まれる画像送りボタンの入力かどうかを判定する。操作入力が画像送りボタンであった場合、処理はステップＳ１７０５へ進み、システム制御部５０は次の表示画像を読み込む。画像送りのボタンは送り方向に応じた一対のボタンで構成されており、操作されたボタンに対応する送り方向に応じて次の表示画像が読み込まれることになる。次に、ステップＳ１７０６において、システム制御部５０は、ステップＳ１７０５で読み込まれた画像データに対してファイル解析処理を行い、読み込んだ最新画像データにおける画像の撮影情報や属性情報等を取得する。そして、ステップＳ１７０７において、システム制御部５０は、ステップＳ１７０５で読み込んだ画像データの表示を行う。このとき、ステップＳ１７０６におけるファイル解析処理の結果を用いて、撮影情報や属性情報等を表示する。また、ステップＳ１７０６のファイル解析結果に応じて、ファイルの一部が壊れているなど不正なデータと判別された場合は、エラー表示も合わせて行う。表示が完了するとステップＳ１７０１の入力待ち状態へ戻る。
【００５０】
ステップＳ１７０４において入力が画像送りボタンではないと判定された場合、処理はステップＳ１７１２へ進む。
【００５１】
ステップＳ１７１２において、システム制御部５０は、当該操作入力が操作部７０に含まれる消去ボタンの操作であるかどうかを調べる。消去ボタンの操作入力であると判定された場合、処理はステップＳ１７１３へ進む。ステップＳ１７１３において、システム制御部５０は、現在画像表示部２８に表示されている画像データの消去を実行する。画像データの消去が完了するとステップＳ１７１４において消去後の総枚数をチェックする。総枚数が０になっていた場合はステップＳ１７１５へ進み、画像なし時入力待ち状態へ移る。この処理は、図５により上述したとおりである。
【００５２】
一方、消去後に画像データが残っている場合はステップＳ１７１６へ進み、システム制御部５０は、次の画像データを表示するべく、次の表示対象の画像データを読み込む。ここで表示対象となる画像データは、消去された画像データのファイル番号の次のファイル番号の画像データとする。尚、最新の画像データが消去された場合は、消去された画像データのファイル番号よりも１つ前のファイル番号の画像データを表示対象とする。ステップＳ１７１７において、システム制御部５０は、ステップＳ１７１６で表示対象として読み込んだ画像データに対してファイル解析処理を行い、撮影情報や属性情報などを得る。そして、ステップＳ１７１８において、システム制御部５０は、ステップＳ１７１６で読み込んだ画像データを画像表示部２８に表示する。このとき、ステップＳ１７１７で取得された撮影情報や属性情報なども表示する。また、ステップＳ１７１７のファイル解析結果に応じて、ファイルの一部が壊れているなど不正なデータであると判定されたならば、その旨のエラー表示も行う。表示が完了するとステップＳ１７０１の操作入力待ち状態へ戻る。
【００５３】
ステップＳ１７１２において当該操作入力が消去ボタンでない場合、処理はステップＳ１７２１へ進む。
【００５４】
ステップＳ１７２１において、システム制御部５０は、当該操作入力が終了ボタンかどうかを判定する。終了ボタンであると判定された場合、再生モード処理を終了し、図３のステップＳ３１２へ進む。
【００５５】
ステップＳ１７２１において当該操作入力が終了ボタンでない場合、処理はステップＳ１７２４へ進む。
【００５６】
ステップＳ１７２４ではそれ上記以外の操作入力に応じた処理を行う。たとえば、画像の編集処理や、マルチ再生への切り替えや、メニューボタンによるメニュー表示などである。尚、マルチ再生とは、画像データの縮小画像を画像表示部２８の一画面に複数枚並べて表示する再生モードである。
【００５７】
（特殊再生モード処理について（Ｓ３１０））
上述した全体動作フロー（図３）のステップＳ３１０の詳細を図７を用いて説明する。図７は、本実施形態のデジタルカメラ１００の特殊再生モードの動作を説明するフローチャートである。
【００５８】
ステップＳ１８０１において、システム制御部５０は、記録媒体２００から最新画像情報を取得する。ステップＳ１８０２において、システム制御部５０は、ステップＳ１８０１における最新画像情報の取得が正しく行われたかどうかをチェックする。最新画像情報を取得できなかった場合、処理はステップＳ１８１０に進む。ステップＳ１８１０において、システム制御部５０は、画像無し時の入力待ち状態となる。このステップＳ１８１０の処理は図５のフローチャートにより後述する。尚、最新画像情報を取得できない場合とは、画像が一枚も無いような状態や、メディア不良によって画像情報が取得できなかったような状態などが考えられる。最新画像情報が取得できれば、少なくとも画像が１枚は存在すると判断され、処理はステップＳ１８０３へ進む。
【００５９】
ステップＳ１８０３において、システム制御部５０は画像表示部２８に操作案内を表示する。図９の９０１と９０２の表示を行い、画像表示部２８にボタン操作と機能の案内を表示する。また、ボタン操作と機能の説明はスピーカー３９を通して音声で案内してもよい。
【００６０】
ステップＳ１８０４において、システム制御部５０は、ステップＳ１８０１で取得した最新画像情報を元に記録媒体２００から最新画像データを読み込む。そしてステップＳ１８０５において、システム制御５０は、ファイル解析処理を行い、読み込んだ配信画像データにおける画像の撮影情報や属性情報などを取得する。
【００６１】
ステップＳ１８０６において、ステップＳ１５０５で取得された撮影情報や属性情報を表示する。図９の９０３に示すように、撮影画像に付帯する情報について簡易情報表示を行う。初心者には不要と思われる情報は表示せず、必要と思われる情報を一定時間表示する。簡易情報表示は一定時間表示後に表示を消去し、画像のみの再生表示となる。またここで、ステップＳ１８０５のファイル解析結果に応じて、ファイルの一部が壊れているなど不正なデータということがわかればエラー表示も合わせて行われる。
【００６２】
ステップＳ１８０７において、システム制御部５０は、読み込んだ最新画像データを表示する。
【００６３】
ステップＳ１８０９において、システム制御部５０は、入力待ち状態に入る。この入力待ち状態における処理は図８のフローチャートにより後述する。
【００６４】
（特殊再生モード処理における再生入力待ち処理（Ｓ１８０９））
図８は、通常再生モード処理における入力待ち状態の処理を説明するフローチャートである。ステップＳ１９０１において、システム制御部５０は、ユーザによる操作入力があるかどうかをチェックする。ここでいう操作入力とはユーザによるボタン、電池蓋に対する操作や、電源の低下を知らせるイベントなどが含まれる。何も入力がなければ入力があるまで待つ。何らかの操作入力があった場合、処理はステップＳ１９０４へ進む。
【００６５】
次にステップＳ１９０４において、システム制御部５０は、当該操作入力が操作部７０に含まれる画像送りボタンの入力かどうかを判定する。操作入力が画像送りボタンであった場合、処理はステップＳ１９０５へ進み、システム制御部５０は次の表示画像を読み込む。画像送りのボタンは送り方向に応じた一対のボタンで構成されており、操作されたボタンに対応する送り方向に応じて次の表示画像が読み込まれることになる。次に、ステップＳ１９０６において、システム制御部５０は、ステップＳ１９０５で読み込まれた画像データに対してファイル解析処理を行い、読み込んだ最新画像データにおける画像の撮影情報や属性情報等を取得する。次にステップＳ１９０７において、ステップＳ１９０６で取得された撮影情報や属性情報を表示する。図９の９０３に示すように、撮影画像に付帯する情報について簡易情報表示を行う。初心者には不要と思われる情報は表示せず、必要と思われる情報を一定時間表示する。簡易情報表示は一定時間表示後に表示を消去し、画像のみの再生表示となる。またここで、ステップＳ１９０６のファイル解析結果に応じて、ファイルの一部が壊れているなど不正なデータということがわかればエラー表示も合わせて行われる。そして、ステップＳ１９０８において、システム制御部５０は、ステップＳ１９０５で読み込んだ画像データの表示を行う。表示が完了するとステップＳ１９０１の入力待ち状態へ戻る。
【００６６】
ステップＳ１９０４において入力が画像送りボタンではないと判定された場合、処理はステップＳ１９１２へ進む。
【００６７】
ステップＳ１９１２において、システム制御部５０は、当該操作入力が操作部７０に含まれる消去ボタンの操作であるかどうかを調べる。消去ボタンの操作入力であると判定された場合、処理はステップＳ１９１３へ進む。ステップＳ１９１３において、図９の９０４に示すような案内を表示する。特殊再生モードでは操作部７０の消去ボタンを禁止しているため、使用できない旨の案内を表示する。表示が完了するとステップＳ１９０１の操作入力待ち状態へ戻る。
【００６８】
ステップＳ１９１２において当該操作入力が消去ボタンでない場合、処理はステップＳ１９２１へ進む。
ステップＳ１９２１において、システム制御部５０は、当該操作入力が終了ボタンかどうかを判定する。終了ボタンであると判定された場合、再生モード処理を終了し、図３のステップＳ３１２へ進む。
【００６９】
ステップＳ１９２１において当該操作入力が終了ボタンでない場合、処理はステップＳ１９２４へ進む。
【００７０】
ステップＳ１９２４ではそれ上記以外の操作入力に応じた処理を行う。通常再生モードでは画像の編集処理やマルチ再生への切り替え、メニューボタンによるメニュー表示などを行っていたが、特殊再生モードではこれらの機能は禁止しているため、これらの操作入力は無効とする。代わりに、特殊再生モードでは操作部７０のＳＥＴボタンの機能割り当てを通常再生モードとは変えており、ＳＥＴボタンを押すと自動再生が始まるようにし、さらにＳＥＴボタンを押すことで自動再生を停止させることを行う。
【００７１】
（特殊再生モードにおける操作案内表示）
図９は、図７のステップＳ１８０３やステップＳ１８０６及び、図９のステップＳ１９０７やステップＳ１９１３などで行われる、画像表示部２８に表示される案内表示の一例を示すものである。
【００７２】
（他の実施の形態）
上記の実施例では、簡単撮影モードに対しては、指示可能な操作が少なく限定された特殊再生モードを対応させ、マニュアル撮影モードでは、指示可能な操作が多く、熟練者向けの再生が可能な通常再生モードとを対応させた。
しかしながら、本発明は、例示した撮影モードと再生モードとの対応関係に限られるものではない。
【００７３】
例えば、上記の実施例の簡単撮影モードの代わりに静止画撮影モードを、マニュアル撮影モードの代わりに動画記録モードに読み替えてもよい。
【００７４】
またさらには、静止画記録モードに対しては、静止画再生向きの指示操作に適した再生モードを対応させ、動画記録モードに対して、動画再生向きの指示操作に適した再生モードとを対応させることもよい。
【００７５】
以上、特定の撮影モードが選択された状態において再生モードに移行した場合に、その再生モードでの動作に制約を加えたり、別の働きを与える処理について説明した。
【００７６】
このように本発明によればカメラ操作の熟練者と初心者に対してそれぞれ適した再生モードを提供することができる。そればかりでなく、撮影モードダイヤルを初心者向けのモードに合わせておくことで、撮影モードと再生モードが共に初心者向けのモードとすることができるなど、初心者が安心して簡単に操作することが可能となった。
【００７７】
尚、本実施例の説明に於いては、特殊再生モードにおいて消去ボタンを禁止する場合について説明した。しかし、それに限ることなく、消去ボタンを有効にしてもよく、また、通常再生モードにおいて、特殊再生モード内で有効なボタンを設定しておくことも可能であり、消去ボタンの禁止動作に限定されるものではない。
【００７８】
また、特殊再生モードで動作可能な処理を、通常再生モードでユーザが任意に設定可能にしても良い。このようにすることで特殊再生モードで実行可能な操作に自由度が上がり、よりユーザのレベルに合わせた設定とすることが出来る。つまり、少し操作になれた初級者、ある程度、操作になれた中級者など、ユーザ毎のレベルや好みに合わせた操作環境を提供することが出来る。
【００７９】
また、上記の説明では再生モードを２種類で説明したが、撮影モードに合わせた３種類以上の再生モードを持っていても良いことは言うまでも無い。
【００８０】
本実施例では、デジタルカメラにより本発明を説明したが、本発明の適用はこれに限られるものではなく、携帯電話や携帯端末などの撮影と再生が可能な装置に適用が可能である。
【００８１】
上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００８２】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００８３】
その場合、プログラムの機能を有していれば、オブジェクトコード、インタプリタにより実行されるプログラム、ＯＳに供給するスクリプトデータ等、プログラムの形態を問わない。
【００８４】
プログラムを供給するための記録媒体としては、例えば、フレキシブルディスク、ハードディスク、磁気テープ等の磁気記録媒体、ＭＯ、ＣＤ  ＲＯＭ、ＣＤ  Ｒ、ＣＤ  ＲＷ、ＤＶＤ  ＲＯＭ、ＤＶＤ  Ｒ、ＤＶＤ  ＲＷ等が考えられる。また、光／光磁気記録媒体、不揮発性の半導体メモリでもよい。
【００８５】
有線／無線通信を用いたプログラムの供給方法としては、次のような方法が考えられる。すなわち、コンピュータネットワーク上のサーバに本発明を形成するコンピュータプログラムそのもの、もしくはプログラムデータファイルを記憶し、接続のあったクライアントコンピュータにプログラムデータファイルをダウンロードするような方法である。
【００８６】
ここで、プログラムデータファイルは、本発明を形成するコンピュータプログラムを圧縮され自動インストール機能を含むファイル等も含む。
【００８７】
この場合、プログラムデータファイルを複数のセグメントファイルに分割し、セグメントファイルを異なるサーバに配置することも可能である。
【００８８】
つまり、本発明の機能処理をコンピュータで実現するためのプログラムデータファイルを複数のユーザに対してダウンロードさせるサーバ装置も本発明に含む。
【００８９】
また、上述の実施形態の機能を実現するプログラムを暗号化し記録媒体に格納してユーザに配布し、所定の条件を満たしたユーザに対して暗号化を解く鍵情報を、ネットワークを介してダウンロードさせることによって供給するような方法も考えられる。その鍵情報を使用することにより暗号化されたプログラムを実行してコンピュータにインストールさせて本発明を実現することも可能である。
【００９０】
コンピュータが供給されたプログラムコードを実行することにより、上述の実施形態の機能が実現される。また、そのプログラムコードがコンピュータにおいて稼働しているＯＳ（オペレーティングシステム）あるいは他のアプリケーションソフト等の共同して上述の実施形態の機能が実現される場合にもかかるプログラムコードは本発明の実施形態に含まれる。
【００９１】
さらに、供給されたプログラムコードがコンピュータの機能拡張ボードやコンピュータに接続された機能拡張ユニットに備わるメモリに格納される場合にも本発明に含まれる。また、そのプログラムコードの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
【図面の簡単な説明】
【００９２】
【図１】実施形態による撮像装置の一例としてのデジタルカメラの外観図である。
【図２】実施形態によるデジタルカメラの構成を示すブロック図である。
【図３】デジタルカメラ１００の全体的な動作を示すフローチャートである。
【図４】デジタルカメラ１００の通常再生処理を示すフローチャートである。
【図５】再生処理における、画像無し時の処理を示すフローチャートである。
【図６】再生処理における、通常再生入力待ちの処理を示すフローチャートである。
【図７】デジタルカメラ１００の特殊再生処理を示すフローチャートである。
【図８】再生処理における、特殊再生入力待ちの処理を示すフローチャートである。
【図９】特殊再生モードにおける操作案内表示例を示す図である。
【符号の説明】
【００９３】
２２  撮像部
２８  表示部
３２  メモリ
５０  システム制御部
５２  システムメモリ
７０  操作部
１００  デジタルカメラ
【図１】
2010050821.tif 000003
【図２】
2010050821.tif 000004
【図３】
2010050821.tif 000005
【図４】
2010050821.tif 000006
【図５】
2010050821.tif 000007
【図６】
2010050821.tif 000008
【図７】
2010050821.tif 000009
【図８】
2010050821.tif 000010
【図９】
2010050821.tif 000011